(57)【要約】【課題】打撃されるボールの飛出し距離を大幅に増加可能であり、バットのボールを打撃するスイートゾーンを有効に増加可能な野球用バットを提供する。【解決手段】予め定められた長さを有し、その軸方向の前端は、ユーザが握り可能なハンドル部に形成され、その軸方向の後端は、バットヘッド端が形成され、ハンドル部とバットヘッド端との間が合成軸区であり、合成軸区は、ハンドル部及びバットヘッド端と同軸とするバット主軸と、ハンドル部とバットヘッド端との間に設けられている合成軸区を覆うように環設されており、合成軸区の周面と結合して一体となる弾性付き環状体と、予め定められた角度で配列する複合材料繊維束を管状に編んでまたは織って構成され、弾性付き環状体を覆うように環設されており、バットの外周面に網状の反発弾力架橋を構成するスリーブと、を含む。【選択図】図１
2017196378.tif 000002
【特許請求の範囲】
【請求項１】
予め定められた長さを有し、その軸方向の前端は、ユーザが握り可能なハンドル部に形成され、その軸方向の後端は、バットヘッド端が形成され、ハンドル部とバットヘッド端との間が合成軸区であり、合成軸区は、ハンドル部及びバットヘッド端と同軸し、ハンドル部及びバットヘッド端と連接する箇所での直径がハンドル部とバットヘッド端との直径より小さいバット主軸と、
ハンドル部とバットヘッド端との間に設けられている合成軸区を覆うように環設されており、合成軸区の周面と結合して一体となる弾性付き環状体と、
予め定められた角度で配列する複合材料繊維束を管状に編んでまたは織って構成され、弾性付き環状体を覆うように環設されており、バットの外周面に網状の反発弾力架橋を構成するスリーブと、
を含むことを特徴とする野球用バット。
【請求項２】
前記バット主軸は、炭素繊維複合材料またはアルミ合金で成形されることを特徴とする、請求項１に記載の野球用バット。
【請求項３】
前記合成軸区は、軸方向に沿って、前記ハンドル部の末端から、前記バットヘッド端の前端まで延びることを特徴とする、請求項１に記載の野球用バット。
【請求項４】
前記反発弾力架橋は、前記複合材料繊維束を交差して形成される、複数の反力支持点と、複数の弾性付き網目と、を含み、その底側は、弾性付き環状体と緊密に噛み合うことを特徴とする、請求項１に記載の野球用バット。
【請求項５】
前記反発弾力架橋は、一の複合材料繊維束上に、軟式野球と接する連続する反力支持点形成領域と、軟式野球と接しない反力支持点形成領域とが交互に現れるように、複数の複合材料繊維束を編んでまたは織って構成されることを特徴とする、請求項４に記載の野球用バット。
【請求項６】
前記弾性付き環状体は、予め定められた比重を有する発泡ポリウレタンで作製されることを特徴とする、請求項１に記載の野球用バット。
【請求項７】
前記スリーブは、ガラス繊維束を管状に編んでまたは織って構成されることを特徴とする、請求項１に記載の野球用バット。
【請求項８】
前記野球用バットは、軟式野球専用であることを特徴とする、請求項１〜７のいずれかに記載の野球用バット。
【発明の詳細な説明】
【技術分野】
【０００１】
本発明は、球技用のスポーツ器材に関し、特に、野球用バットに関するものである。
【背景技術】
【０００２】
軟式野球は、ボールの内部が中空であり、体積がより小さいため、軟式野球を打撃する打撃点を把握することが難しい。そして軟式野球の重量はより軽い。バットは、その材料が木材、アルミ合金、又は炭素繊維を採用し、その構造が中実、中空、又は一体成形を採用することにも係らず、その基本の構造は、打撃区からハンドル区までが一体に結合される剛性な構成である（例えば、特許文献１参照）。特に、バットの打撃区の硬度は、軟式野球の硬度より高い。ピッチャーがボールを投げ出す速度は、８０〜９０キロメートル／時間が一般的であり、１００〜１３０キロメートル／時間以上に達することもある。そのように速いボールがバットに衝突するときには、打撃される瞬間に、ボールが圧縮されて横方向へ変形して、ボールの本来のエネルギーが大幅に減少する。このため、ボールが打撃されて飛び出すが、ボールの飛び出しの爆発力が大幅に減少し、ボールの飛び出し距離が大幅に減少する。一方、バットのボールを打撃するスイートゾーンは、より大径なヘッド部のより小さい範囲に限定されるため、当該範囲でボールを打撃することが容易ではない。
【先行技術文献】
【特許文献】
【０００３】
【特許文献１】特公平８−２４７３０号公報（第２頁、図１，２）
【発明の概要】
【発明が解決しようとする課題】
【０００４】
本発明の主な目的は、打撃されるボールの飛出し距離を大幅に増加可能であり、バットのボールを打撃するスイートゾーンを有効に増加可能な野球用バットを提供することにある。
【課題を解決するための手段】
【０００５】
本発明の野球用バットによると、予め定められた長さを有し、その軸方向の前端は、ユーザが握り可能なハンドル部に形成され、その軸方向の後端は、バットヘッド端が形成され、ハンドル部とバットヘッド端との間が合成軸区であり、合成軸区は、ハンドル部及びバットヘッド端と同軸し、ハンドル部及びバットヘッド端と連接する箇所での直径がハンドル部とバットヘッド端との直径より小さいバット主軸と、
ハンドル部とバットヘッド端との間に設けられている合成軸区を覆うように環設されており、合成軸区の周面と結合して一体となる弾性付き環状体と、
予め定められた角度で配列する複合材料繊維束を管状に編んでまたは織って構成され、弾性付き環状体を覆うように環設されており、バットの外周面に網状の反発弾力架橋を構成するスリーブと、
を含むことを特徴とする。
【０００６】
本発明の野球用バットによると、バット主軸は、炭素繊維複合材料またはアルミ合金で成形されることを特徴とする。
【０００７】
本発明の野球用バットによると、合成軸区は、軸方向に沿って、ハンドル部の末端から、バットヘッド端の前端まで延びることを特徴とする。
【０００８】
本発明の野球用バットによると、前記反発弾力架橋は、前記複合材料繊維束を交差して形成される、複数の反力支持点と、複数の弾性付き網目と、を含み、その底側は、弾性付き環状体と緊密に噛み合うことを特徴とする。
【０００９】
本発明の野球用バットによると、前記反発弾力架橋は、一の複合材料繊維束上に、軟式野球と接する連続する反力支持点形成領域と、軟式野球と接しない反力支持点形成領域とが交互に現れるように、複数の複合材料繊維束を編んでまたは織って構成されることを特徴とする。
【００１０】
本発明の野球用バットによると、弾性付き環状体は、予め定められた比重を有する発泡ポリウレタンで作製されることを特徴とする。
【００１１】
本発明の野球用バットによると、スリーブは、ガラス繊維束を管状に編んでまたは織って構成されることを特徴とする。
【００１２】
本発明の野球用バットによると、野球用バットは、軟式野球専用であることを特徴とする。
【発明の効果】
【００１３】
本発明の野球用バットによれば、打撃されるボールの飛出し距離を大幅に増加可能であり、バットのボールを打撃するスイートゾーンを有効に増加可能であるという効果を有する。
【図面の簡単な説明】
【００１４】
【図１】本発明の第１の実施形態に係る軟式野球専用バットの組合済み状態を示す断面図である。
【図２】本発明の第１の実施形態に係る軟式野球専用バットの組合済み状態を示す模式図である。
【図３】図２におけるＷ部分を示す拡大図である。
【図４】本発明の第１の実施形態に係る軟式野球専用バットがボールを打撃する点を示す拡大図である。
【図５】本発明の第１の実施形態に係る軟式野球専用バットがボールを打撃する点を示す拡大断面図である。
【図６】本発明の第１の実施形態に係る軟式野球専用バットによりボールを打撃して飛び出す瞬間の状態を示す断面図である。
【図７】本発明の第２の実施形態に係る軟式野球専用バットの組合済み状態を示す断面図である。
【図８】本発明の第２の実施形態に係る軟式野球専用バットの組合済み状態を示す模式図である。
【図９】本発明の第３の実施形態に係る軟式野球専用バットがボールを打撃する点を示す拡大図である。
【図１０】本発明の第３の実施形態に係る軟式野球専用バットがボールを打撃する点を示す拡大図である。
【発明を実施するための最良の形態】
【００１５】
以下、本発明の実施の形態を図面に基づいて説明する。
【００１６】
（第１の実施形態）
図１から図６を参照する。本実施形態に係る軟式野球専用バットは、バット主軸１０と、弾性付き環状体２０と、スリーブ３０と、を含む。
【００１７】
バット主軸１０は、予め定められた長さを有し、炭素繊維複合材料またはアルミ合金で成形される。バット主軸１０は、図１に示すように、その軸方向の前端は、ユーザが握り可能なハンドル部１１に形成され、その軸方向の後端は、より大径なバットヘッド端１２が形成され、ハンドル部１１とバットヘッド端１２との間が合成軸区１３である。合成軸区１３は、ハンドル部１１及びバットヘッド端１２と同軸し、予め定められた長さを有し、ハンドル部１１及びバットヘッド端１２と連接する箇所での直径がハンドル部１１とバットヘッド端１２との直径より小さい。もちろん、合成軸区１３は、直径が連続しない複数のセクションから構成されてもよい。
【００１８】
弾性付き環状体２０は、予め定められた比重を有する発泡ポリウレタン（ＰＵ）で作製され、ハンドル部１１とバットヘッド端１２との間に設けられている合成軸区１３を覆うように環設されており、合成軸区１３の周面と結合して一体となる。弾性付き環状体２０の両端の直径は、それぞれハンドル部１１とバットヘッド端１２との直径と連続する。
【００１９】
スリーブ３０は、図１から図３に示すように、予め定められた角度で配列する複合材料繊維束３１を管状に編んでまたは織って構成される。複合材料繊維束３１は、ガラス繊維のような複合材料に用いられる繊維を束ねて構成されるものである。本実施形態に係るスリーブ３０は、ガラス繊維束を管状に編んでまたは織って構成され、弾性付き環状体２０の外周面を覆うように環設されており、弾性付き環状体２０と結合して一体となり、バットの外周面に網状の反発弾力架橋３２を構成する。反発弾力架橋３２は、複合材料繊維束３１を交差して形成される、複数の反力支持点３２１と、複数の弾性付き網目３２２と、を含む。反発弾力架橋３２は、スリーブ３０長手方向に対して、複数の複合材料繊維束３１を互いに傾斜して交差する編み組の手法を用いることによって、複数の反力支持点３２１と複数の弾性付き網目３２２とを形成することができる。弾性付き網目３２２の底側は、弾性付き環状体２０と緊密に噛み合う。弾性付き網目３２２の底側は、複合材料繊維束３１に熱可塑性樹脂を含浸させた状態で加熱して硬化させるなどして、弾性付き環状体２０に接合ないし接着させてもよい。
【００２０】
本実施形態に係る軟式野球専用バットは、図１及び図２に示すように、弾性付き環状体２０を成形した後、予め定められた比重を有する発泡ポリウレタンは、軸方向に沿って、ハンドル１１の末端からバットヘッド端１２の前端まで延び、合成軸区１３と緊密に結合する。複合材料繊維束３１を管状に編んでまたは織って構成されるスリーブ３０は、広げられて弾性付き環状体２０を嵌めると、図３から図６に示すように、複合材料繊維束３１と弾性付き環状体２０とが加熱されて結合する。これにより、反発弾力架橋３２が構成される。反発弾力架橋３２の弾性付き網目３２２の底側は、弾性付き環状体２０と緊密に噛み合う。このように、当該箇所は、振動低減効果を得ることが可能である。反力支持点３２１により、図４及び図５に示すように、多数の反力Ｆ１が提供される。これにより、本実施形態に係る軟式野球専用バットによってボールを打撃する瞬間に、軟式野球４０の高速進行によるボール慣性力Ｆは、スリーブ３０の反発弾力架橋３２と、弾性付き網目３２２の底側と弾性付き環状体２０との緊密な噛合いとにより、振動が減少されて、軟式野球４０の打撃点での変形によるエネルギーロスを低く抑えることが可能である。ひいては、軟式野球４０の高速進行によるボール慣性力Ｆの大部分が保留される（方向だけが変わる。）。このため、残るボール慣性力Ｆに打撃者のバット振り力Ｐを加えると、ボールの飛出しの爆発力が大幅に増加する。
【００２１】
図１から図６を参照する。本実施形態に係るスリーブ３０は、バット主軸１０のハンドル部１１とバットヘッド端１２との間に設けられている合成軸区１３を覆うように設けられており、弾性付き環状体２０と緊密に噛合うことにより、網状の反発弾力架橋３２が構成される。反発弾力架橋３２の複数の反力支持点３２１と複数の弾性付き網目３２２とにより、軟式野球４０の打撃点の周りが打撃力を安定的に受け可能である。このため、打撃点が軟式野球４０の何れかの箇所に位置しても、ハンドル部１１とバットヘッド端１２との間に設けられている合成軸区１３内の範囲によって軟式野球４０を打撃すると、ボールの飛出しの爆発力を大幅に増加可能である。すなわち、ボールを打撃する瞬間に、反発弾力架橋３２の複数の反力支持点３２１による支持と、弾性付き環状体２０による振動低減とにより、バットのボールを打撃するスイートゾーンを有効に増加可能であり、打撃されるボールの飛出し距離を大幅に増加可能である。
【００２２】
（第２の実施形態）
図７及び図８を参照する。打撃者のバットの使用習慣に対応するために、本実施形態に係る軟式野球専用バットは、図７及び図８に示すように、バットヘッド端１２に近接する箇所（バットの伝統的な打撃区に相当する範囲）にバット主軸１０の合成軸区１３を設けてもよい。弾性付き環状体２０を成形した後、予め定められた比重を有する発泡ＰＵは、合成軸区１３と緊密に結合する。スリーブ３０は、広げられて弾性付き環状体２０を嵌めると、図３から図６に示すように、複合材料繊維束３１と弾性付き環状体２０とが加熱されて結合する。これにより、反発弾力架橋３２が構成される。反発弾力架橋３２の弾性付き網目３２２の底側は、弾性付き環状体２０と緊密に噛み合う。このように、当該箇所は、振動低減効果を得ることが可能である。反力支持点３２１により、多数の反力が提供される。このため、残るボール慣性力Ｆに打撃者のバット振り力Ｐを加えると、ボールの飛出しの爆発力が大幅に増加する。
【００２３】
（第３の実施形態）
図９，１０を参照する。本実施形態に係るスリーブ３０は、より多くの複合材料繊維束３１を交差させて、より多くの反力支持点３２１と弾性付き網目３２２とを形成する。例えば、ボールを打撃する瞬間に軟式野球４０と接する領域Ｘの中に、複数の反力支持点３２１と複数の弾性付き網目３２２が含まれる程度に、多くの複合材料繊維束３１を交差させる。より多くの反力支持点３２１と弾性付き網目３２２とにより、軟式野球４０の打撃点の周りが打撃力をさらに安定的に受け可能である。すなわち、ボールを打撃する瞬間に、より多くの反力支持点３２１による支持と、弾性付き環状体２０による振動低減とにより、バットのボールを打撃するスイートゾーンを有効に増加可能であり、打撃されるボールの飛出し距離をさらに大幅に増加可能である。
【００２４】
第１の実施形態では、複数の複合材料繊維束３１は、ボールを打撃する瞬間に、一の複合材料繊維束３１上に、軟式野球４０と接する領域（反力支持点３２１形成領域）と、軟式野球４０と接しない領域（反力支持点３２１形成領域）とが交互に現れるように編まれていた。本実施形態では、複数の複合材料繊維束３１は、ボールを打撃する瞬間に、一の複合材料繊維束３１上に、軟式野球４０と接する連続する２つの領域（反力支持点３２１形成領域）と、軟式野球４０と接しない１つの領域（反力支持点３２１形成領域）とが交互に現れるように編まれている。これにより、本実施形態では、ボールを打撃する瞬間に、軟式野球４０と接する連続する２つの反力支持点３２１の間に、さらに軟式野球４０と接する領域が現れる。これにより、バットのボールを打撃するスイートゾーンを有効に増加可能であり、打撃されるボールの飛出し距離をさらに大幅に増加可能である。
【００２５】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【産業上の利用可能性】
【００２６】
本発明は、軟式野球やソフトボールなどの野球用バットに適用することができる。
【符号の説明】
【００２７】
１０  バット主軸
１１  ハンドル部
１２  バットヘッド端
１３  合成軸区
２０  弾性付き環状体
３０  スリーブ
３１  複合材料繊維束
３２  アンチストレッチ架け橋
４０  軟式野球
３２１  反力支持点
３２２  弾性付き網目
Ｆ  ボール慣性力
Ｆ  反力
Ｐ  バット振り力
Ｗ  部分
【図１】
2017196378.tif 000003
【図２】
2017196378.tif 000004
【図３】
2017196378.tif 000005
【図４】
2017196378.tif 000006
【図５】
2017196378.tif 000007
【図６】
2017196378.tif 000008
【図７】
2017196378.tif 000009
【図８】
2017196378.tif 000010
【図９】
2017196378.tif 000011
【図１０】
2017196378.tif 000012